(57)【要約】【課題】配置される場所の景観を向上させることができるとともに、使い勝手の良好なテレビジョン受像機の提供を目的とする。【解決手段】主電源スイッチ１と、  該主電源スイッチ１が入れられた状態において遠隔操作により迅速な復帰が可能な状態でテレビ放送の受像を停止する待機電源スイッチ２とを有するテレビジョン受像機であって、  前記待機電源スイッチ２の操作により、停止されるテレビ放送の受像に代えて、ディスプレイ３に適宜の装飾画像を表示させる装飾処理部４を有して構成する。【選択図】  図１
2007110428.tif 000002
【特許請求の範囲】
【請求項１】
主電源スイッチと、
該主電源スイッチが入れられた状態において遠隔操作により迅速な復帰が可能な状態でテレビ放送の受像を停止する待機電源スイッチとを有するテレビジョン受像機であって、
前記待機電源スイッチの操作により、停止されるテレビ放送の受像に代えて、ディスプレイに適宜の装飾画像を表示させる装飾処理部を有するテレビジョン受像機。
【請求項２】
前記待機電源スイッチの操作によりテレビ放送の受像および装飾画像のディスプレイへの表示の双方を停止可能である請求項１記載のテレビジョン受像機。
【発明の詳細な説明】
【技術分野】
【０００１】
本発明はテレビジョン受像機に関するものである。
【背景技術】
【０００２】
液晶ディスプレイ等の技術進歩に伴い、より迫力のある映像を表示すべく、近年、テレビジョン受像機のディスプレイの大型化が急速に進められており、これとともにディスプレイ自体が視野の広い領域を占めることになり、テレビジョン受像機の電源を消したときには、表示のないディスプレイによってテレビジョン受像機が配置される場所の景観が大きく損ねられてしまうといった状況が発生している。このような状況に鑑み、最近では、特許文献１に記載されるように、テレビジョンプログラム又はビデオフィルムの再生に用いられていないときにディスプレイ画面にスクリーンセーバーを表示するテレビジョンセットが提案されている。
【０００３】
このテレビジョンセットは、ディスプレイ画面として大型画面のプラズマディスプレイを備えるとともに、スクリーンセーバーが記憶されうるディジタルメモリと、スクリーンセーバーを担持する記憶媒体を受けとり及び再生するＣＤ／ＤＶＤデッキを有する。スクリーンセーバーは、テレビジョンセットがテレビジョンプログラム等の表示に用いられていないときに動作の他のモードに切り換えられる、すなわち、視聴者が所望のテレビ番組の鑑賞を終え、最早ディスプレイをテレビ番組の視聴に使わなくなったときなどに、テレビ番組を表示するモードから上記ディジタルメモリ等からデータを読み出すモードに切り換えることによってディスプレイに表示し始められる。
【特許文献１】特表２００４-５０７９３７号公報
【発明の開示】
【発明が解決しようとする課題】
【０００４】
しかしながら、上述した従来例のように動作モードを切り換えるためには、そのタイミングを適宜決定する必要がある。このタイミングは、例えば、予め入力された所望のテレビ番組の終了時刻に従い、あるいはテレビ放送の表示が所定の連続時間を経過したことに従って、動作モードを切り換えるタイマーを設けることなどによって決定することも可能であるが、全ての動作モードの切り換えをこのようなタイマーにより一律に行うことにすると、放送時刻や放送時間の多様なテレビ番組に対応するためには操作が非常に煩わしいものになってしまう。
【０００５】
この点、動作モードの切り換えスイッチを任意に操作できるようにすれば、上述した煩雑さは解消されるが、この場合、かかる切り換えスイッチの操作忘れなどが生じるおそれがあり、また、切り換えスイッチを操作するための操作ボタン等が増えることにより、操作がより難しくなってしまう。近年においては、一般にディスプレイを備えた筐体側において操作可能に設けられる主電源スイッチのほかに、リモコン側において上記主電源スイッチが入れられた状態で見掛けの電源を断接するというようないわゆる待機電源スイッチがほぼ常備されており、このように各所に散在して操作される電源スイッチに加えて切り換えスイッチが混在することにより、動作、操作の複雑化、操作性の悪化が極めて懸念される。
【０００６】
本発明は以上の欠点を解消すべくなされたものであって、配置される場所の景観を向上させることができるとともに、使い勝手の良好なテレビジョン受像機の提供を目的とする。
【課題を解決するための手段】
【０００７】
本発明によれば上記目的は、
主電源スイッチ１と、
該主電源スイッチ１が入れられた状態において遠隔操作により迅速な復帰が可能な状態でテレビ放送の受像を停止する待機電源スイッチ２とを有するテレビジョン受像機であって、
前記待機電源スイッチ２の操作により、停止されるテレビ放送の受像に代えて、ディスプレイ３に適宜の装飾画像を表示させる装飾処理部４を有するテレビジョン受像機を提供することにより達成される。
【０００８】
本発明によれば、テレビジョン受像機は、電源供給を断接操作可能な主電源スイッチ１と、この主電源スイッチ１が入れられた状態においてリモコンを介した遠隔操作により迅速な復帰が可能な状態でテレビ放送の受像を停止する待機電源スイッチ２との二つの電源スイッチを有する。待機電源スイッチ２は、例えば主電源スイッチ１の下流に配置されて該主電源スイッチ１の投入により稼働するリモコン受光器やマイコンなどにより、リモコンからの受像断接信号を受けてスイッチングを行う。スイッチングは、単なるテレビ放送の受像の表示、非表示のほか、テレビ放送の受像に必要な回路への電源供給の断接により行うことも可能である。
【０００９】
また、テレビ放送の受像のためのテレビチューナ等に加え、ディスプレイ３に適宜の装飾画像を表示させる装飾処理部４を有し、これによりディスプレイ３にテレビ放送を表示させていないときに装飾画像を表示することにより、ディスプレイ３が配置される場所の景観を維持、向上する。上記装飾画像としては、少なくともテレビ放送の非表示、消灯したときのディスプレイ３の外観に比して、ディスプレイ３に表示したときに景観、すなわち眺めやディスプレイ３が配置される場所の有様を適宜向上させることができるものであればよく、例えば自然の風景写真や絵画などを収めた適宜の画像を利用することが可能で、節電を考慮すれば動画よりも静止画であることが望ましい。なお、上記テレビ放送の受像のためのテレビチューナ等としては、地上波テレビ放送のためのもの以外に、衛生やケーブルを介した衛生放送、ケーブル放送のためのものであってもよい。
【００１０】
このようにディスプレイ３に自然の風景写真等の画像を表示させることにより、音楽で言うところのＢＧＭのようないわゆるバックグラウンドのものとして、ディスプレイ３を積極的に観賞していないときにおいても、ディスプレイ３が配置される場所の景観を高め、生活をより快適にすることができる。なお、上記ディスプレイ３としては、液晶ディスプレイ、プラズマディスプレイ、ブラウン管を備えたＣＲＴディスプレイ、プロジェクションディスプレイ等種々のものを使用することが可能である。
【００１１】
上記装飾処理部４は、予め記録された装飾画像をディスプレイ３に表示するものとして構成することが可能で、例えば、装飾画像を記録したハードディスクレコーダにより構成することが可能である。このように書き込み可能なモジュールを用いた場合には、上記装飾画像を変更、差し替えすることも可能になるために、例えばテレビジョン受像機の所有者の家族写真等を装飾画像として用いることも容易になる。また、テレビ番組の録画手段としても共用することが可能で、さらに、テレビ放送やインターネット等を活用して上記装飾画像を取り込むことによりさらに使い勝手を高めることもできる。
【００１２】
以上のテレビチューナ等によるテレビ放送の受像と、装飾処理部４による装飾画像の表示について、本発明において、上述した待機電源スイッチ２により切り換え操作を行うことにより、使い勝手が高められる。すなわち、テレビ番組を見終わったときに操作される待機電源スイッチ２を表示の切り換えスイッチの操作手段として活用することにより、特段の取り扱い説明書等を読まなくても直ちに正常な取り扱いがなされることを期待することができる。また、このようにすることで、市販のテレビチューナやハードディスクレコーダを内蔵したテレビジョン受像機に簡単な改造を加えるだけで構成することが可能となる。
【００１３】
さらに、待機電源スイッチ２にリモコンからの表示のスイッチングが統合されることにより、操作忘れや誤操作を防止でき、リモコンを介した極めて簡単な遠隔操作によって切り換え操作を行うことができる。この場合において、待機電源スイッチ２により上述したように電源供給の断接、すなわち、テレビチューナ等と装飾処理部４との電源供給を切り換えるようにすれば、装飾画像を表示する際の省電力化、電気代の節約を容易に図ることができる。なお、装飾処理部４はスイッチングの切り換えによりディスプレイ３に装飾画像を表示できればよく、実際の表示のタイミングは、テレビ放送の受像停止と同時に限らず、適宜の時間が経過した後など使い勝手等に応じて適宜決定すれば足りる。
【００１４】
加えて、長期の外出など景観の向上よりも電力消費の節約が優先される場合などにおいては、主電源スイッチ１により電源供給を切断することができる。また、就寝時などより短期における電力消費の節約を使い勝手を損ねることなく可能にするためには、待機電源スイッチ２により、上述したテレビ放送の受像から装飾画像の表示への切り換えのみならず、これら双方を停止できるようにすることが望ましい。この場合には、リモコンの待機電源の操作ボタンの入力を受けたときにディスプレイ３がテレビ放送受像状態であるか、装飾画像表示状態であるか、あるいは消灯状態であるかをこれらの回路の電位をチェックすることなどにより検知すれば、単一の待機電源の操作ボタンにより操作可能に構成することが可能となる。
【発明の効果】
【００１５】
以上の説明から明らかなように、本発明によれば、近年のディスプレイの大型化によるテレビ放送の受像停止時における景観の悪化について、使い勝手を損ねることなく改善することができる。
【発明を実施するための最良の形態】
【００１６】
図１ないし図３に本発明の実施の形態を示す。この実施の形態において、テレビジョン受像機は、ＬＣＤディスプレイ（ディスプレイ３）を備えるとともに、適宜接続されるアンテナを介して受信するアナログテレビ電波によりＬＣＤディスプレイ３にテレビ放送を受像させるためのテレビ信号を生成する地上波アナログテレビ放送のテレビチューナ、およびテレビ放送を録画可能なハードディスクレコーダを内蔵して広く市販されているものにテレビ放送の画像とハードディスクレコーダの再生画像を切り換え表示する機能を付加して構成され、コンセントを介して取り入れられる商用電源により地上波テレビ放送を受像し、また上記ハードディスクレコーダの画像を再生する。図１に示すように、電源プラグ１０を介して図示しないコンセントからテレビジョン受像機の筐体１１内に取り込まれるＡＣ電源は、主電源スイッチ１によりオンオフ制御可能にされ、オン制御時、すなわち主電源スイッチ１の給電状態において下流の電源制御部１２に供給される。
【００１７】
電源制御部１２は、図１に示すように主電源スイッチ１から供給された電源のさらに下流への供給先を切り換え制御可能な待機電源スイッチ２を有するほか、図示しないトランス回路と、整流回路と、安定化回路とを有し、トランス回路、整流回路、および安定化回路により主電源スイッチ１から供給されるＡＣ電源を待機電源スイッチ２下流の回路に応じた適宜の電圧のＤＣ電源に制御する。待機電源スイッチ２および上記主電源スイッチ１はリレーにより構成され、主電源スイッチ１は、図示しないテレビジョン受像機の筐体１１前面にプッシュ式スイッチとしてプッシュ操作によりオンオフ制御可能に形成される。上記待機電源スイッチ２は、主電源スイッチ１からの電源供給を受像処理部１３と装飾処理部４に切り換え制御可能に形成される。
【００１８】
受像処理部１３は、上述した地上波アナログテレビ放送を受像させるためのテレビ信号を生成するアナログテレビチューナ部を有し、このアナログテレビチューナ部は、受像処理部１３に接続されるアンテナ１４を介して受信されたアナログのテレビ電波を検波回路および同期回路により適宜選局されたチャンネルのアナログテレビ信号に変換し、画像生成部１５に出力する。画像生成部１５は、入力されるアナログテレビ信号をＡ／Ｄ変換してデジタルテレビ信号をＬＣＤディスプレイ３に出力し、ＬＣＤディスプレイ３は入力されるデジタルテレビ信号によりテレビ放送を受像する。
【００１９】
装飾処理部４は上述したハードディスクレコーダを電源制御部１２の下流に配置して構成され、図２に示すように、ＨＤＲ制御用マイコン１６と、ハードディスクドライブ１７（ＨＤＤ）と、クロック発振器１８とをバス１９を介して接続して構成され、さらにこのバス１９に対してインターフェイス２０（Ｉ／Ｆ）が接続される。ＨＤＲ制御用マイコン１６には、図２に示すように、ハードディスクレコーダ自体を制御するＣＰＵ１６ａと、起動プログラムが収納されるＲＯＭ１６ｂと、上記ＨＤＤ１７に収納されるシステムプログラム等が読み出されるＲＡＭ１６ｃとを有し、上記ＨＤＤ１７には自然の風景写真の画像などからなる装飾画像のＭＰＥＧデータおよびこのデータを画像生成部１５に出力するシステムプログラムが収納され、また、クロック発振器１８は上記ＣＰＵ１６ａの動作の基準となるクロックパルスを発振する。
【００２０】
したがってＲＯＭ１６ｂの起動プログラムに従ってＨＤＤ１７からＲＡＭ１６ｃにシステムプログラムおよび装飾画像のＭＰＥＧデータが読み出され、読み出されたシステムプログラムに従って上記ＭＰＥＧデータが画像生成部１５に出力される。装飾処理部４からＭＰＥＧデータの入力を受ける画像生成部１５は、ＭＰＥＧデータをＮＴＳＣ方式に変換してＬＣＤディスプレイ３に出力し、ＬＣＤディスプレイ３は入力されるＮＴＳＣ方式の画像データを表示する。なお、上述したＩ／Ｆ２０は、図２において２点鎖線で示すように、パソコン等２１（ＰＣ等）がテレビジョン受像機に接続された際にこのパソコン等２１からの入力信号をデコードしてＣＰＵ１６ａに同期制御する。
【００２１】
以上の受像処理部１３と装飾処理部４への電源制御部１２からの電源供給を切り換え操作、管理するために、テレビジョン受像機の筐体１１内には、リモコン受光器２２と、マイコン２３とが組み込まれる。リモコン受光器２２は、図１に示すように、リモコン２４から発信される待機電源スイッチ２の切り換えの赤外線コード信号を受信すると、待機電源スイッチ２の切り換えのリモコン信号をマイコン２３に出力する。この出力を受けたマイコン２３は待機電源スイッチ２にリレーのスイッチングを促すリレードライブ電流を供給し、電源制御部１２から下流側への電源供給先を変更する。これにより、電源制御部１２からの電源供給が受像処理部１３と装飾処理部４に交互に切り換えられる。
【００２２】
したがって、コンセントに電源プラグ１０を差し込み、主電源スイッチ１をオンにした状態において、電源制御部１２の待機電源スイッチ２により受像処理部１３側に電源供給がなされたときには、アンテナ１４で受信されたアナログテレビ電波がデジタル変換されてＬＣＤディスプレイ３に入力され、テレビ放送が受像される。この状態でリモコン２４の図示しない切り換え操作ボタンを押してリモコン受光器２２に待機電源スイッチ２の切り換えの赤外線コード信号を受光させると、マイコン２３には待機電源スイッチ２の切り換えのリモコン信号が入力され、入力を受けたマイコン２３は待機電源スイッチ２を切り換え、電源供給先を受像処理部１３から装飾処理部４に切り換えるとともに、受像処理部１３と装飾処理部４とで供給電圧等が異なる場合にはトランス回路等についても適宜制御し、あるいは回路の切り換えを行う。
【００２３】
電源制御部１２からの電源供給が遮断された受像処理部１３は作動を停止し、これによりテレビ放送の受像が切断され、一方、電源供給が開始された装飾処理部４は、ＨＤＲ制御用マイコン１６が起動してＬＣＤディスプレイ３への装飾画像の表示を開始する。装飾処理部４の起動は、ＲＯＭ１６ｂを参照してＣＰＵ１６ａが起動プログラムを実行することにより行われ、ＨＤＤ１７からシステムプログラムおよびＭＰＥＧ形式の装飾画像データをＲＡＭ１６ｃに読み出し、ＲＡＭ１６ｃから出力される装飾画像データが画像生成部１５によりＭＰＥＧ形式からＮＴＳＣ方式に変換されてＬＣＤディスプレイ３に表示される。また、ＬＣＤディスプレイ３のいわゆる焼き付きを防止するために、上記装飾画像データはＨＤＤ１７に複数種類収納され、クロック発振器１８を参照して１時間など適宜時間毎に異なるものに切り替え表示される。なお、上述したようにＨＤＤ１７からＲＡＭ１６ｃにシステムプログラムおよび装飾画像データを読み出すことにより、当該画像データを表示する際にはＨＤＤ１７の作動を停止させることが可能で、このようにした場合には消費電力がより低く抑えられる。  
【００２４】
また、上述したＩ／Ｆ２０としてテレビジョン受像機の筐体１１にはＲＧＢ端子等が設けられ、これによりパソコン２１のテレビ出力端子等と上記端子等をケーブルで繋ぐことによって、パソコン２１に収納されるＭＰＥＧ形式の画像データをＬＣＤディスプレイ３に表示できるようにされる。したがって、デジタルカメラ等適宜手段により撮影した家族写真のＭＰＥＧデータ等をパソコン２１に取り込み、ＬＣＤディスプレイ３に再生した状態で上記風景写真の画像などからなる装飾画像に上書きしてＨＤＤ１７に記録するなどすれば、上記風景写真に代えて家族写真を表示するように変更することもできる。
【００２５】
さらに、この実施の形態において、就寝時など景観よりも節電が重視される状況を考慮して、上記待機電源スイッチ２は、受像処理部１３および装飾処理部４双方への電源供給を停止する待機電源状態に切り換え操作可能に形成される。待機電源状態への切り換えは、リレーを設けることなどによりマイコン２３、すなわちリモコン２４を介して適宜制御することが可能であり、上述したリモコン２４の切り換え操作ボタンの押動によりマイコン２３が受信する待機電源スイッチ２の切り換えのリモコン信号によってこのリレーを切り換えることにより操作性が高められる。
【００２６】
このようにリモコン２４の切り換え操作ボタンの押動によって受像処理部１３と装飾処理部４との切換に加えて待機電源状態への切換も可能にするために、マイコン２３は、図１に示すように、主電源スイッチ１と電源制御部１２の間から取り込まれるＡＣ電源を待機電源制御部２５により変圧、整流、安定化して供給される適宜のＤＣ電源により駆動され、また、電源制御部１２からの受像処理部１３や装飾処理部４への電源経路の電位を検知してＬＣＤディスプレイ３の表示状態を把握するとともに、受像処理部１３への給電状態、装飾処理部４への給電状態、待機電源状態の順に電源制御部１２の切り換えを行う。切り換えは、図３に示すように、待機電源スイッチ２の切り換えのリモコン信号をマイコン２３が受信する、すなわちマイコン２３が待機電源スイッチ２の切り換え操作を受信すると、先ず電源制御部１２から受像処理部１３への電源経路の電位により受像処理部１３が動作しているかを確認し（Ｓ１）、動作している場合には受像処理部１３への給電を遮断するとともに装飾処理部４への給電を開始するリレードライブ電流を出力して給電対象を受像処理部１３から装飾処理部４へと切り換える（Ｓ２）。これによりＬＣＤディスプレイ３によるテレビ放送の受像は停止し、これに代えて風景写真画像の表示が開始される。
【００２７】
一方、受像処理部１３が動作していない場合には、次に、電源制御部１２から装飾処理部４への電源経路の電位により装飾処理部４が動作しているかを確認し（Ｓ３）、動作している場合には受像処理部１３および装飾処理部４双方の給電を遮断するリレードライブ電流を出力して待機電源状態に切り換える（Ｓ４）。これによりＬＣＤディスプレイ３による写真画像の表示は停止し、ＬＣＤディスプレイ３は消灯される。さらに、上記受像処理部１３に加えて装飾処理部４も動作していない場合には、受像処理部１３への給電を開始するリレードライブ電流を出力し（Ｓ５）、テレビ放送の受像を開始させる。
【００２８】
なお、装飾画像を表示する際にマイコン２３によってＬＣＤディスプレイ３のバックライトの輝度を落とす制御を行い、当該表示状態における消費電力をより低く抑えることも可能である。
【００２９】
また、上記ＨＤＤ１７によりテレビ放送を録画したい場合には、例えば受像処理部１３、装飾処理部４を電源制御部１２に対して図示しない経路で同時に断接操作可能にパラレル接続するなどしてこれらに対して同時に電源供給可能にすればよく、この場合、かかる断接操作をリモコン２４の上記切り換えスイッチにより操作できるようにすることが望ましい。
【図面の簡単な説明】
【００３０】
【図１】本発明を示すブロック図である。
【図２】装飾処理部を示すブロック図である。
【図３】マイコンによる電源制御部の切り換えのフローチャートである。
【符号の説明】
【００３１】
１  主電源スイッチ
２  待機電源スイッチ
３  ディスプレイ
４  装飾処理部
【図１】
2007110428.tif 000003
【図２】
2007110428.tif 000004
【図３】
2007110428.tif 000005